(57)【要約】  【課題】  バッテリーの装着時にシステム電源用の昇圧ＤＣ−ＤＣコンバータの電源電圧が規定の電圧に立ち上がっていない場合、ＰＯＷＥＲ  ＯＮ操作キー入力があった場合の機器の誤動作防止を可能とする。  【解決手段】  バッテリー電圧をシステム電源として必要な規定の電圧へ昇圧する昇圧ＤＣ−ＤＣコンバータと前記昇圧ＤＣ−ＤＣコンバータ出力をＯＮ／ＯＦＦしてシステム電源出力端子へ出力を行う電源スイッチ回路と電源ＯＮ／ＯＦＦ操作を検出するＰＯＷＥＲ  ＯＮ／ＯＦＦキー入力部とＰＯＷＥＲ  ＯＮキー入力があった場合に昇圧ＤＣ−ＤＣコンバータ出力を電圧検出器へ出力し、前記電圧検出器は、規定の電圧以上であると判定した場合に前記電源スイッチ回路をＯＮしてシステム電源出力へ供給する制御を行う電源制御回路を備える。【選択図】図１
2006296009.tif 000002
【特許請求の範囲】
【請求項１】
バッテリーを着脱可能な電源制御装置であって、
前記バッテリーの電圧を昇圧してシステム電源を生成する昇圧手段と、
前記生成されたシステム電源の電圧を検出する電圧検出器と、
前記生成されたシステム電源をシステム電源出力端子へ供給する旨のユーザーによる指示を受ける入力手段と、
前記入力手段がユーザーによる供給指示を受けた場合に、前記電圧検出器で検出した電圧が所定電圧より小さいとき、前記生成されたシステム電源をシステム電源出力端子へ供給する一方、前記電圧検出器で検出した電圧が所定電圧より大きいとき、前記生成されたシステム電源をシステム電源出力端子へ供給しない電源スイッチ回路と、
を備える電源制御装置。
【発明の詳細な説明】
【技術分野】
【０００１】
本発明は、昇圧ＤＣ−ＤＣコンバータで構成された電源を持つポータブルタイプの機器の電源制御装置に関する。
【背景技術】
【０００２】
ポータブルタイプの機器に内蔵されている電池は、小型化実現のために、１セルタイプの１次電池または２次電池を採用している場合が主である。また、一般的に、機器のシステム制御用として採用されているマイコン等のＬＳＩの動作電圧は、１セルタイプの電池電圧よりも高い電圧が要求され、機器の電源回路に昇圧ＤＣ−ＤＣコンバータを採用して電池電圧を規定の電圧へ昇圧することで電源回路を構成している（例えば、特許文献１を参照）。
【０００３】
このような電源制御装置としては、図２に示す構成のものが考えられる。
【０００４】
図２に示すブロック図において、挿抜可能なバッテリー１を内蔵するポータブルタイプの機器において、２はバッテリー電圧を規定のシステム電源用の電圧へ昇圧する昇圧ＤＣ−ＤＣコンバータ、３は電源ＯＮ／ＯＦＦ操作を検出するＰＯＷＥＲ  ＯＮ／ＯＦＦキー入力部、４は電源制御回路、５は電源スイッチ回路、６はシステム電源出力端子、７は電圧検出器である。電源スイッチ回路５は、ＦＥＴＱ１とトランジスタＱ２で構成され、ＦＥＴＱ１のドレイン／ソースは、それぞれ前記昇圧ＤＣ−ＤＣコンバータ２出力と前記システム電源出力端子６に接続される。また前記トランジスタＱ２のコレクターは、前記Ｑ１のゲートに接続され、エミッターはＧＮＤに接続され、ベースは前記電源制御回路４へ接続される。
【０００５】
前記電源制御回路４はＰＯＷＥＲ  ＯＮ／ＯＦＦキー入力部３にＰＯＷＥＲ  ＯＮキー入力が発生した場合、昇圧ＤＣ−ＤＣコンバータ出力が規定の電圧以上かどうかの判断を前記電圧検出器７で行い、規定の電圧以上であれば、前記昇圧ＤＣ−ＤＣコンバータ出力２を電源スイッチ回路５のトランジスタＱ２のベースへ出力してＦＥＴＱ１をＯＮにして前記昇圧ＤＣ−ＤＣコンバータ出力２をシステム電源出力端子６へ接続する制御を行う。
【０００６】
また、前記電源制御回路４はＰＯＷＥＲ  ＯＮ／ＯＦＦキー入力部３にＰＯＷＥＲ  ＯＦＦキー入力が発生した場合、トランジスタＱ２をＯＦＦにしてＦＥＴＱ１をＯＦＦにし、前記昇圧ＤＣ−ＤＣコンバータ出力２をシステム電源出力端子６へ接続しない制御を行う。
【０００７】
このように、昇圧ＤＣ−ＤＣコンバータで構成された電源回路の電源ＯＮ・ＯＦＦ機能を構成することができる。
【特許文献１】特開平７−１４１０６６号公報
【発明の開示】
【発明が解決しようとする課題】
【０００８】
１セルタイプのバッテリーを内蔵し、バッテリー挿抜可能なポータブルタイプの機器において、バッテリーの装着時、昇圧ＤＣ−ＤＣコンバータは、システムに必要な規定の電圧まで昇圧する動作を行う。前記規定の電圧まで昇圧するための電圧立ち上がり時間が必要であり、さらに前記電圧立ち上がり時間は、前記バッテリーの残容量によって大きくばらつく。もしもシステムに必要な規定電圧以下で機器を電源ＯＮにすると誤動作が発生する恐れがある。従って、従来システムでは、前記規定の電圧に到達しない状態で電源ＯＮの操作をした場合、電源ＯＮの受付動作を禁止する仕様となっており、電源ＯＮを受付ない操作キー入力期間が発生する。更にシステムに必要な電源電圧を常に監視する必要があり、消費電力の増加の原因ともなっている。
【０００９】
本発明は、バッテリー挿抜可能なポータブルタイプの機器において、バッテリーの装着時にシステムに必要な規定の電圧まで昇圧中の電源ＯＮの操作を受け付けが可能にし、同時に機器の誤動作を防止する電源制御装置を提供することを目的とする。
【課題を解決するための手段】
【００１０】
この課題を解決するために本発明の電源制御装置は、バッテリーを内蔵し、挿抜可能なポータブルタイプの機器において、バッテリー電圧をシステム電源として必要な規定の電圧へ昇圧する昇圧ＤＣ−ＤＣコンバータと前記昇圧ＤＣ−ＤＣコンバータ出力をＯＮ／ＯＦＦしてシステム電源出力端子へ出力を行う電源スイッチ回路と電源ＯＮ／ＯＦＦ操作を検出するＰＯＷＥＲ  ＯＮ／ＯＦＦキー入力部とＰＯＷＥＲ  ＯＮキー入力があった場合に昇圧ＤＣ−ＤＣコンバータ出力を後記電圧検出器へ出力する操作スイッチ回路を備える。
【００１１】
前述の電圧検出器は昇圧ＤＣ−ＤＣコンバータの出力電圧が規定の電圧以上かどうかの判断し、前記規定の電圧以下の場合は、前記電源スイッチ回路をＯＦＦのままとし、また前記規定の電圧以上の場合は、前記電源スイッチ回路をＯＮにする信号を送ることにより、バッテリーの装着時に機器の電源ＯＮの操作を受け付けた場合の機器の誤動作を防止する。
【発明の効果】
【００１２】
以上のように本発明によれば、バッテリー電圧をシステム電源として必要な規定の電圧へ昇圧する昇圧ＤＣ−ＤＣコンバータと前記昇圧ＤＣ−ＤＣコンバータ出力をＯＮ／ＯＦＦしてシステム電源出力端子へ出力を行う電源スイッチ回路と電源ＯＮ／ＯＦＦ操作を検出するＰＯＷＥＲ  ＯＮ／ＯＦＦキー入力部とＰＯＷＥＲ  ＯＮキー入力があった場合に昇圧ＤＣ−ＤＣコンバータ出力を後記電圧検出器へ出力する操作スイッチ回路を備え、前述の電圧検出器は昇圧ＤＣ−ＤＣコンバータの出力電圧が規定の電圧以上かどうかの判断し、前記規定の電圧以下の場合は、前記電源スイッチ回路をＯＦＦのままとし、また前記規定の電圧以上の場合に、前記電源スイッチ回路をＯＮにする信号を送ることにより、バッテリーの装着時に昇圧ＤＣ−ＤＣコンバータ出力の電圧が規定の電圧以上に立ち上がる前にＰＯＷＥＲ  ＯＮキー入力を受け付けても機器の誤動作を防止することが可能となる。
【００１３】
更に、ＰＯＷＥＲ  ＯＮ／ＯＦＦキー入力部の操作キーが例えばスライドスイッチタイプの場合、事前に常にＯＮ状態にキー入力の設定状態であってもバッテリーの装着時に昇圧ＤＣ−ＤＣコンバータ出力が規定の電圧に立ち上がった後、前記電圧検出器は、前記電源スイッチ回路をＯＮさせる制御を行うことが実現することができ、バッテリーの装着時の昇圧ＤＣ−ＤＣコンバータの立ち上がり期間中のＰＯＷＥＲ  ＯＮキー入力の操作キー受付を可能とする電源制御装置を実現ができる。
【００１４】
また、前記電圧検出器は、常に前記昇圧ＤＣ−ＤＣコンバータ出力電圧の監視をする必要が無いので、電源ＯＦＦ時の待機時の電力の削減も可能となる。
【発明を実施するための最良の形態】
【００１５】
本発明による電源制御装置は、バッテリーを内蔵し、挿抜可能なポータブルタイプの機器において、バッテリー電圧をシステム電源として必要な規定の電圧へ昇圧する昇圧ＤＣ−ＤＣコンバータと前記昇圧ＤＣ−ＤＣコンバータ出力をＯＮ／ＯＦＦしてシステム電源出力端子へ出力を行う電源スイッチ回路と電源ＯＮ／ＯＦＦ操作を検出するＰＯＷＥＲ  ＯＮ／ＯＦＦキー入力部とＰＯＷＥＲ  ＯＮキー入力があった場合に昇圧ＤＣ−ＤＣコンバータ出力を後記電圧検出器へ出力する操作スイッチ回路と、昇圧ＤＣ−ＤＣコンバータの出力電圧が規定の電圧以上かどうかの判断し、前記規定の電圧以下の場合は、前記電源スイッチ回路をＯＦＦのままとし、また前記規定の電圧以上の場合は、前記電源スイッチ回路をＯＮにする信号を送る前記電圧検出器を備える。
【００１６】
これにより、システム電源の電圧が規定の電圧以上の場合にＰＯＷＥＲ  ＯＮキー入力を自動的に受け付ける電源制御となり、バッテリーの装着時の誤動作を防止することが可能となる。
【００１７】
以下、本発明の実施の形態について、図面を用いて説明する。
【００１８】
（実施の形態１）
図１は、本発明の実施の形態１による電源制御装置の構成を示すブロック図である。図１において、１は挿抜可能な内蔵バッテリー、２はバッテリー電圧を規定のシステム電源用の電圧へ昇圧する昇圧ＤＣ−ＤＣコンバータ、３は電源ＯＮ／ＯＦＦ操作を検出するＰＯＷＥＲ  ＯＮ／ＯＦＦキー入力部、８は操作スイッチ回路、５は電源スイッチ回路、６はシステム電源出力端子、７は電圧検出器である。電源スイッチ回路５は、ＦＥＴＱ１とトランジスタＱ２で構成され、ＦＥＴＱ１のドレイン／ソースは、それぞれ昇圧ＤＣ−ＤＣコンバータ２出力とシステム電源出力端子６に接続される。またトランジスタＱ２のコレクターは、Ｑ１のゲートに接続され、エミッターはＧＮＤに接続され、ベースは電圧検出器４へ接続される。
【００１９】
操作スイッチ回路８はＰＯＷＥＲ  ＯＮ／ＯＦＦキー入力部３にＰＯＷＥＲ  ＯＮキー入力が発生した場合、昇圧ＤＣ−ＤＣコンバータの出力を電圧検出器７へ入力する。電圧検出器７は、入力されたＤＣ−ＤＣコンバータ出力電圧が規定の電圧以上であるかどうかの判断し、規定の電圧以上の場合、昇圧ＤＣ−ＤＣコンバータ出力２を電源スイッチ回路５のトランジスタＱ２のベースへ出力してＦＥＴＱ１をＯＮにして昇圧ＤＣ−ＤＣコンバータ出力２をシステム電源出力端子６へ接続する制御を行う。
【００２０】
また、操作スイッチ回路８はＰＯＷＥＲ  ＯＮ／ＯＦＦキー入力部３にＰＯＷＥＲ  ＯＦＦキー入力が発生した場合、昇圧ＤＣ−ＤＣコンバータ出力を電圧検出器７への接続をＯＦＦとし、トランジスタＱ２をＯＦＦにしてＦＥＴＱ１をＯＦＦにし、昇圧ＤＣ−ＤＣコンバータ出力２をシステム電源出力端子６へ接続しない制御を行う。
【００２１】
このように、昇圧ＤＣ−ＤＣコンバータで構成された電源回路の電源ＯＮ・ＯＦＦ機能を構成することができる。
【００２２】
以上のように本実施の形態では、昇圧ＤＣ−ＤＣコンバータの電圧が規定の電圧以上の場合にＰＯＷＥＲ  ＯＮキー入力を受け付ける電源制御となり、バッテリーの装着時の誤動作を防止することが可能となる。
【００２３】
また、ＰＯＷＥＲ  ＯＮ／ＯＦＦキー入力部の操作キーが例えばスライドスイッチタイプの場合、事前に常にＯＮ状態にキー入力の設定状態であってもバッテリーの装着時に昇圧ＤＣ−ＤＣコンバータ出力が規定の電圧に立ち上がった後で、電圧検出器は、電源スイッチ回路をＯＮさせる制御を行うことが実現することができる。
【００２４】
なお、昇圧ＤＣ−ＤＣコンバータ２は本発明の昇圧手段の一例である。ＰＯＷＥＲ  ＯＮ／ＯＦＦキー入力部３および操作スイッチ回路８からなる構成は本発明の入力手段の一例である。
【００２５】
昇圧ＤＣ−ＤＣコンバータ２は、バッテリー１の電圧を昇圧してシステム電源を生成する。電圧検出器７は、昇圧ＤＣ−ＤＣコンバータ２で生成されたシステム電源の電圧を検出する。ＰＯＷＥＲ  ＯＮ／ＯＦＦキー入力部３は、生成されたシステム電源をシステム電源出力端子６へ供給する旨のユーザーによる指示を受ける。
【００２６】
電源スイッチ回路５は、ＰＯＷＥＲ  ＯＮ／ＯＦＦキー入力部３がユーザーによる供給指示を受けた場合に、電圧検出器７で検出した電圧が所定電圧より小さいとき、生成されたシステム電源をシステム電源出力端子６へ供給する一方、電圧検出器７で検出した電圧が所定電圧より大きいとき、生成されたシステム電源をシステム電源出力端子６へ供給しない。
【産業上の利用可能性】
【００２７】
本発明にかかる電源制御装置は、バッテリーを着脱可能な電源制御装置に適用でき、例えば、携帯電話端末や携帯オーディオ機器、デジタルカメラ等に適用可能である。
【図面の簡単な説明】
【００２８】
【図１】本発明の実施の形態による電源制御装置の構成を示すブロック図
【図２】従来の電源制御装置の構成を示すブロック図
【符号の説明】
【００２９】
１  バッテリー
２  昇圧ＤＣ−ＤＣコンバータ
３  ＰＯＷＥＲＯＮ／ＯＦＦキー入力部
４  電源制御回路
５  電源スイッチ回路
６  システム電源出力端子
７  電圧検出器
【図１】
2006296009.tif 000003
【図２】
2006296009.tif 000004